【事件の表示】
　平成　８年特許願第２９９１１８号「録画用に自動的に見出しを付ける装置」拒絶査定不服審判事件〔平成　９年　６月３０日出願公開、特開平　９−１７２５９７〕について、次のとおり審決する。
【結　論】
　本件審判の請求は、成り立たない。
【理　由】
第１　経緯
１．手続
　本願は、平成８年１１月１１日（パリ条約による優先権主張１９９５年１１月９日、米国）の出願である。
　本件は、本願についてされた拒絶査定（平成１７年１０月６日付け）を不服とする平成１８年１月１２日の審判の請求であり、請求後、手続補正書（平成１８年２月１３日付け、明細書又は図面について請求の日から３０日以内にする補正）が提出された。
　
２．査定
　原査定の理由は概略、下記のとおりである。
　　　記（原査定の理由）
　請求項１に係る発明は、下記刊行物に記載された各発明に基づいて当業者が容易に発明をすることができたものであるから、特許法第２９条第２項の規定により、特許を受けることができない
　　　記
　引用例１：特開平６−１０３６４１号公報
　引用例２：特開平３−１０９８８０号公報
　引用例３：特開平６−６２３８３号公報
　
　
第２　平成１８年２月１３日付けの補正についての補正の却下の決定
　
　平成１８年２月１３日付けの補正について次のとおり決定する。
　
［結論］
　平成１８年２月１３日付けの補正を却下する。
　
［理由］
１．補正の内容
　平成１８年２月１３日付け手続補正（以下、「本件補正」という。）により、特許請求の範囲の請求項１は
「【請求項１】
　ビデオプログラム信号に対応する番組情報を表わすオンスクリーンディスプレイ信号を供給する手段と、
　前記オンスクリーンディスプレイ信号と前記ビデオプログラム信号の両方を記録媒体上に記録する手段とを具備した装置であって、
　前記オンスクレーンディスプレイ信号は前記ビデオ信号に関する見出しを作成するために上記記録媒体上に記録され、
　前記オンスクリーンディスプレイ信号を供給する手段は、前記ビデオプログラム信号を記録するためのコマンドに応じて番組案内から自動的に前記オンスクリーンディスプレイ信号の情報を抽出するように構成されていることを特徴とする装置。」（補正前）
から、
「【請求項１】
　ビデオプログラム信号に対応する番組情報を表わすオンスクリーンディスプレイ信号を供給する手段と、
　前記オンスクリーンディスプレイ信号と前記ビデオプログラム信号の両方を記録媒体上に記録する手段とを具備した装置であって、
　前記記録媒体上に前記ビデオプログラム信号を記録するのに先立って、前記オンスクレーンディスプレイ信号は前記ビデオプログラム信号に対する見出しを形成するために上記記録媒体上に記録され、
　前記オンスクリーンディスプレイ信号を供給する手段は、番組案内から前記ビデオプログラム信号を記録するための単一のユーザ入力選択コマンドに応じて補助的情報から得られる番組案内データから自動的に前記オンスクリーンディスプレイ信号の情報を引き出すように構成されていることを特徴とする装置。」（補正後）
と補正される。
　なお、補正の前後双方における
「前記オンスク
レ
という記載は、
「前記オンスク
リ
の誤記と認められるので、以後「オンスク
レ
リ
　
２．補正の目的
　上記補正は、
●請求項１に記載される「前記オンスクリーンディスプレイ信号は前記ビデ　オ信号に関する見出しを作成するために上記記録媒体上に記録され」る構　成に対して「前記記録媒体上に前記ビデオプログラム信号を記録するのに　先立って」と限定を加えると共に、「ビデオ信号に
関
作
プログラム
対
形
●請求項１に記載される「前記ビデオプログラム信号を記録するためのコマ　ンド」に対して「番組案内から前記ビデオプログラム信号を記録するため　の単一のユーザ入力選択」と限定を加える補正
●請求項１に記載される「番組案内」に対して「補助的情報から得られる番　組案内データ」と限定を加える補正
●請求項１に記載される「オンスクリーンディスプレイ信号の情報を
抽出
引き出す
を含むものである。
　従って、上記補正は平成１８年改正前特許法第１７条の２第４項第２号の特許請求の範囲の減縮を目的とするものに該当する。
　
３．独立特許要件
　そこで、本件補正後の請求項１に記載される発明が、特許出願の際独立して特許を受けることができるものであるか（平成１８年改正前特許法第１７条の２第５項において準用する同法第１２６条第５項の規定に適合するか）について以下検討する。
　　
（１）補正後の請求項１に記載される発明
　本件補正後の請求項１に記載される発明（以下、「補正後発明」という。）は、下記のとおりである。
　　　記（補正後発明）
「【請求項１】
　ビデオプログラム信号に対応する番組情報を表わすオンスクリーンディスプレイ信号を供給する手段と、
　前記オンスクリーンディスプレイ信号と前記ビデオプログラム信号の両方を記録媒体上に記録する手段とを具備した装置であって、
　前記記録媒体上に前記ビデオプログラム信号を記録するのに先立って、前記オンスクリーンディスプレイ信号は前記ビデオプログラム信号に対する見出しを形成するために上記記録媒体上に記録され、
　前記オンスクリーンディスプレイ信号を供給する手段は、番組案内から前記ビデオプログラム信号を記録するための単一のユーザ入力選択コマンドに応じて補助的情報から得られる番組案内データから自動的に前記オンスクリーンディスプレイ信号の情報を引き出すように構成されていることを特徴とする装置。」
　
（２）引用例
（２−１）引用例１
　原査定の拒絶の理由に引用された特開平６−１０３６４１号公報（以下、「引用例１」という。）には、「ビデオテープレコーダ」（発明の名称）に関して、図面と共に以下の記載がある。
（１ア）
「【 ０００１】
【産業上の利用分野】
　本発明は、放送番組毎に予め指定された特定コードを入力して予約設定を行なうビデオテープレコーダ（ＶＴＲ）に関し、特に入力されたコードに基づいてテレテキストデータに含まれる番組表を検索し、所望の放送番組に対応するＶＰＳ（Video Program System）コードまたはＰＤＣ（Program Delivery Control）コード、及び番組タイトル等を取り込み予約設定することが可能なＶＴＲに関する。」
（１イ）
「【０００２】
【従来の技術】
  西独や英国では、テレテキスト放送におけるテレテキストサービスの一部として放送予定番組の放送日、放送時間、ＶＰＳ（Video Program System）コード（西独）またはＰＤＣ（Program Delivery Control）コード（英国）、番組タイトル等のデータ（番組表）を送信しており、この番組表を利用して録画するＶＰＴ（Video Programmig by TELETEXT）方式が採用されている（例えば西独公開特許明細書第３３３５０８２）。このＶＰＴ方式においては、放送局から送られてくる番組表がディスプレイ上に表示され、オペレータはこの表示を見ながら、所望の放送番組をカーソル等で指定することにより録画予約に必要なデータを取り込み、解読する。」
（１ウ）
「【０００９】
  ……（略）……テレテキスト放送の番組表には番組タイトルデータが含まれている……（略）……」
（１エ）
「【００１４】
【作用】
　上記構成によれば、放送番組毎に予め指定された特定コード（Ｇコード等）が入力されたとき、テレテキストデータ内の番組表を照合するようにしたので、録画予約する所望の放送番組にＶＰＳコード或はＰＤＣコードが含まれているときは、必ずＶＰＳ或はＰＤＣ予約モードにて予約設定される
  また、録画予約する所望の放送番組に番組タイトルが含まれているときは、他の番組予約データとともに番組タイトルも予約設定されため、予約実行時、番組タイトルを録画の最初の部分に自動的に挿入できる。」
（１オ）
「【００１７】
　一方、ＩＦ・ＤＥＴ３から得られるビデオ信号のうち垂直帰線期間に多重されたテレテキスト信号は、テレテキスト信号抜取回路８によって抽出されてページ選択回路９に供給される。このページ選択回路９はテレテキスト制御部６から指示されたページ番号のデータだけを抜き出して画面メモリ１０に供給する。尚、テレテキスト制御部６では番組予約キーが操作されたとき、テレテキストデータ放送チャンネル毎に番組表が存在する初期ページ番号が予めプリセットされている。」
（１カ）
「【００２１】
　ＶＣＲ・ＰＬＵＳ方式による番組予約録画について述べると、キー入力部１１のＶＣＲ・ＰＬＵＳの予約設定ボタン（図示せず）を操作し、予め指定された特定のコード（Ｇコード）を入力する。入力されたＧコードは、ＶＣＲ・ＰＬＵＳデコーダ１２にて放送チャンネル、放送日、放送開始時間及び終了時間の番組予約データ（第１番組予約データ）に解読され、マイクロコンピュータより構成されたタイマー予約制御部１４に供給される。タイマー予約制御部１４は、解読された番組予約データを受けてテレテキスト制御部６を制御してテレテキストデータに含まれる所望の番組表のページを検索する。そして、この番組表から第１番組予約データと同じ放送番組を検索し、検索された放送番組に対応する放送チャンネル、放送日、放送開始時間及び終了時間、ＶＰＳ或はＰＤＣコード、番組タイトル等からなる番組予約データ（第２番組予約データ）を抽出して予約データメモリ２０に書き込む。」
（１キ）
「【００３５】
　テレテキスト制御部６は、タイマー予約制御部１４からの情報に基づいて、実行される番組予約データを予約データメモリ
１９
●当審注：「予約データメモリ
１９
２０
（１ク）
「【００３６】
　ここで、キャラクタジェネレータ７からの信号ｃは、番組タイトルの文字信号と実行された放送チャンネルのビデオ信号との合成信号で、表示・録画信号切換回路５を介して録画回路１９に供給する。そして、番組タイトルを記録する時間を計数し（ステップＳ４７）、タイムアウトになると表時・録画信号切換回路５に切換信号ａを送って録画信号を映像信号処理回路４からのビデオ信号ｂに戻し、番組タイトルの録画を終了する（ステップＳ４８）。図７は実際に番組タイトル録画を実行したときに録画される画面を示しており、テレビ画面２００に番組タイトル３００をスーパーインポーズの形で挿入したものとなる。」
（１ケ）
「【００３８】
　尚、本実施例では、番組タイトル名のみを録画したが、番組タイトル以外に放送チャンネル、放送局名、録画実行時間等も予約データメモリ２０から読み出し一緒に録画してもよい。」
（１コ）
「【００４０】
　また、番組表から所望の放送番組に関する番組予約データを読み出したとき、番組タイトルがある場合は、他の番組予約データとともに番組タイトルデータも予約設定されるため、予約実行時、番組タイトルを録画の最初の部分に自動的に挿入でき、簡単にタイトル作成が行なえる。」
　
（２−２）引用例３
　原査定の拒絶の理由に引用された特開平６−６２３８３号公報（以下、「引用例３」という。）には、図面と共に以下の記載がある。
（３ア）
「【００１４】
　【課題を解決するための手段】
　上記課題を解決するために本発明のテレビジョン受像機は、文字放送受信手段と、文字放送からテレビ番組表番組を検索、表示する番組表提示手段と、提示された番組表から一番組を選択する選択手段と、選択されたテレビ番組の日付情報、時間情報、チャンネル番号、番組内容などをを抜き出す録画番組検出手段と、前記録画番組検出手段の出力であるチャンネル番号、番組内容などと番組の放送開始日付情報と時間情報と放送終了日付情報と時間情報を録画開始時間・終了時間として記憶する録画番組表と、時間管理を行なうタイマーと、前記録画番組表の録画番組の日付、時間情報と前記タイマーの日付と時間情報とを比較する比較手段と、前記比較手段の結果から前記タイマーと前記録画番組の録画開始日付／時間情報が一致あるいはあらかじめ定められた差以内に入った時に、赤外線リモコンにより外部ビデオ録画装置に録画開始コマンドを出力し、録画終了開始日付／時間情報が前記タイマーと一致した時に録画終了コマンドを伝送する録画制御手段という構成を備えたものである。」
（３イ）
「【００１５】
　【作用】
　本発明は上記した構成によって、文字放送のテレビ番組表番組から録画希望番組を選択することで録画予約を行えることとなる。」
（３ウ）
「【００１８】
　図１において、ａはテレビの映像信号で、１は映像信号ａから垂直帰線消去期間に重畳されている文字信号を抜き取る文字信号抜き取り部、２は抜き取られた文字信号のデコード部、３は抜き取った文字信号を蓄積しておくバッファメモリ部、４はデコード部２において文字図形に展開された表示データを画面に上に表示する表示制御部、５は表示制御部４で画面上などに実際に表示する表示データを記憶するビデオメモリ部である。１０は抜き取られた文字信号及びバッファメモリ３からテレビ番組表の番組を検索表示する番組表処理部、１１は表示された番組表から一番組を選択し開始時間、終了時間、チャンネル番号などの情報を抽出する録画番組データ抽出部である。１２は録画番組データ抽出部の出力を記憶する録画予約表である。１３は現在時刻をカウントするタイマーである。１４はタイマー１３と録画予約表１２から、録画開始／終了時刻を検出する予約録画制御部、１５は予約録画制御部１４からの指令をリモコンフォーマットに変換するリモコン信号発生部である。」
　
（２−３）周知技術
　ビデオテープレコーダの技術分野において、見出しとして機能する信号をビデオプログラム信号を記録するのに先立ってビデオテープ上に記録する構成は、本願出願前において周知の技術である。このことは、例えば、原査定において引用例２として提示された特開平３−１０９８８０号公報（以下、「周知文献１」という。）、特開平２−１７７１８７号公報（以下、「周知文献２」という。）、特開平３−２０９６８６号公報（以下、「周知文献３」という。）に見られるところ、その詳細は以下のとおりである。
　
周知文献１の記載
「システム・コントロール回路１１よりタイマースタンバイ信号が出力され、この信号が予約／タイトル制御回路１８及びオンスクリーン制御回路１４に印加されると、ＲＡＭ２１に記憶されたタイトルが読み出されると共に、これまでチューナ回路１３より出力されていたビデオ信号に替って、このタイトルがオンスクリーン制御回路１４にて選択され、画面上に表示される。
タイマー録画開始時刻の所定時間例えば５秒前になったことが時計回路２０、比較回路１９にて検出されると、システムコントロール回路１１より出力される制御信号により、電源回路１６、録画回路１５が動作し、録画の為必要な全ての回路、メカニズム機構に電源が印加される。そして、オンスクリーン制御回路１４より出力されて録画回路１５に印加されているタイトルの録画が開始される。
　５秒間のタイトル録画の後、番組録画開始時刻になったことが、時計回路２０比較回路１９にて検出されると、選局回路１２は予約された番組のチャンネル選択信号をチューナ回路１３に出力し、チューナ回路１３は予約された番組（チャンネル）に対する同調状態となってこの番組のビデオ信号が出力されると共に、システムコントロール回路１１より出力される制御信号により、オンスクリーン制御回路１４はタイトル画に替ってチューナ回路１３より出力されるビデオ信号の選択状態となり（タイトル録画状態の終了）、このビデオ信号が録画回路１５に印加され、タイマー予約録画状態に移行する。このようにして、５秒間のタイトル録画の後に所定の番組の録画が行われることとなる。」（第３頁左上欄第１７行〜左下欄第８行）
　
周知文献２の記載
「この発明のＶＴＲ装置によれば、オンスクリーンによる録画予約機能を利用し、録画開始時刻より少し前にそのオンスクリーンの録画予約画面のビデオ信号を録画部に入力し、その録画開始時刻に所定チャネルのテレビ番組のビデオ信号を録画部に入力する切替手段を設けたので、ビデオテープ（カセット）にはテレビ番組等の録画前に予約録画の画面を記録することができ、再生するだけで予約録画情報、チャネル、日付や時間等を容易に知ることができる。」（第４頁左上欄第１２行〜右上欄第１行）
　
周知文献３の記載
「予約された時刻前になるとＶＴＲは録画待機状態に入り、数秒前から録画動作が開始されると同時に、予約録画制御回路（６）から切換信号がスイッチ（９）に送出されて数秒間ｂ端子側に切り換えられる。このとき、文字信号発生回路（７）から、ＣＨ１２の予約情報を表示する文字映像信号が送出され、映像信号処理回路（２）を介して磁気テープ（５）に記録される。この数秒間の予約情報の記録が終ると、スイッチ（９）はａ端子側に切り換えられ、人力されるＣＨ１２の映像信号を終了時刻まで記録したのち待機状態に移行する。
　このような、予約情報の記録は、予約された番組の記録動作の頭初にそれぞれ実行される。
　したがって、磁気テープ（５）に予約録画された各番組の頭初の部分には、それぞれＣＨ番号、日時、記録モード等の情報が記録されているので、時、記録モード等の情報が記録されているので、両生時に視認することができる。」（第２頁右上欄第５行〜左下欄第２行）
　
（３）対比
　補正後発明と引用例１に記載された発明（以下、「引用例１発明」という。）とを対比する。
　
（３−１）「ビデオプログラム信号に対応する番組情報を表わすオンスクリーンディスプレイ信号を供給する手段」
　引用例１発明におけるテレテキスト制御部６は、タイマー予約制御部１４からの情報に基づいて、実行される番組予約データを予約データメモリ２０から抜き取り、その番組予約データの内容に番組タイトル録画の予約がされているか否かを判断する。そして、番組タイトル録画の予約がされている場合は、画面メモリ１０に番組タイトルを録画するためのデータを書き込み、表示・録画信号切換回路５においてキャラクタジェネレータ７からの信号を選択する。（記載１ウ、１カ、１キ、１ク）
　キャラクタジェネレータ７は、録画される放送番組に関する番組タイトル名をテレビ画面にスーパーインポーズの形で挿入する（記載１エ、１ク）ところ、記載（１ケ）によれば、放送チャンネル、放送局名、録画実行時間等も一緒に録画してもよいとされている。
　ここで、ビデオ信号ｂ（記載１ク）は補正後発明の「ビデオプログラム信号」に相当する。「番組タイトル名（放送チャンネル、放送局名、録画実行時間等）」は、補正後発明にいう「ビデオプログラム信号に対応する番組情報を表わす」ものであり、ビデオ信号ｂにスーパーインポーズの形で挿入されテレビ画面２００に表示されることから「オンスクリーンディスプレイ信号」にも相当する。
　そうすると、引用例１発明の「予約データメモリ２０」、「テレテキスト制御部６」は、補正後発明にいう「ビデオプログラム信号に対応する番組情報を表わすオンスクリーンディスプレイ信号を供給する手段」に相当する。
　
（３−２）「前記オンスクリーンディスプレイ信号と前記ビデオプログラム信号の両方を記録媒体上に記録する手段」
　引用例１発明における録画回路１９は、「番組タイトル名（放送チャンネル、放送局名、録画実行時間等）」の文字信号と放送チャネルのビデオ信号との合成信号をビデオテープに録画する。（記載１エ、１ク、１ケ、１コ）
　かかる「ビデオテープ」「録画回路１９」は、それぞれ補正後発明にいう「記録媒体」「前記オンスクリーンディスプレイ信号と前記ビデオプログラム信号の両方を記録媒体上に記録する手段」に相当する。
　
（３−３）「前記記録媒体上に前記ビデオプログラム信号を記録するのに先立って、前記オンスクリーンディスプレイ信号は前記ビデオプログラム信号に対する見出しを形成するために上記記録媒体上に記録され」
　引用例１発明においては、「番組タイトル名（放送チャンネル、放送局名、録画実行時間等）」は録画の最初の部分にスーパーインポーズの形で挿入され（記載１エ、１ク、１ケ、１コ）、ビデオプログラム信号に対する「見出し」を形成するために機能し得ることは明らかである。
　従って、引用例１発明の、「番組タイトル名（放送チャンネル、放送局名、録画実行時間等）」を録画の最初の部分にスーパーインポーズの形で挿入した上でビデオテープ上に記録する構成は、補正後発明にいう「前記オンスクリーンディスプレイ信号は前記ビデオプログラム信号に対する見出しを形成するために上記記録媒体上に記録され」る構成に相当する。
　ただし、オンスクリーンディスプレイ信号が、補正後発明では、「前記記録媒体上に前記ビデオプログラム信号を記録するのに先立って」記録されるのに対し、引用例１発明では、ビデオプログラム信号の録画の最初の部分にスーパーインポーズの形で記録される。相違が認められる。
　
（３−４）「前記オンスクリーンディスプレイ信号を供給する手段は、番組案内から前記ビデオプログラム信号を記録するための単一のユーザ入力選択コマンドに応じて補助的情報から得られる番組案内データから自動的に前記オンスクリーンディスプレイ信号の情報を引き出すように構成されている」
（３−４−１）「補助的情報」
　補正後発明にいう「補助的情報」について検討する。
　本願明細書中段落００１０には、「図２に示すように、テキスト・ボックス２１０は番組案内２００の上に表示されている。テキスト・ボックス２１０はタイトル、時間、チャンネル、および日付情報を収めているが、ハイライトされた番組の説明を含めることも可能である。この情報は番組信号と一緒に送信された
補助的情報
　従って、補正後発明における「補助的情報」には、「垂直ブランキング（帰線消去）インターバル期間に送信される」ものであって、タイトル、時間、チャンネル、日付情報等を得ることを可能とするものが含まれる。
　次に、引用例１発明は、テレテキストデータに含まれる番組表ページから放送チャンネル、放送日、放送開始時間及び終了時間、番組タイトル等を得る（記載１ア、１ウ、１エ、１カ）ものであるところ、テレテキストデータは、垂直帰線期間に多重されて送られるものである。（記載１オ）
　そうすると、引用例１発明の「テレテキストデータ」は、補正後発明にいう「補助的情報」に相当する。
（３−４−２）
　引用例１発明のテレテキスト制御部６は、入力されたＧコードに応じて垂直帰線期間に多重されたテレテキストデータに含まれる番組表ページから番組タイトルデータを得る。（記載１ア、１ウ、１エ、１オ、１カ）
　また、番組タイトルデータは番組予約データと共に予約設定され、予約実行時、録画の最初の部分に自動的に挿入される。（記載１エ、１ク、１ケ、１コ）
　かかる「番組表ページ」「入力されたＧコード」「テレテキストデータに含まれる番組タイトルデータ」は、それぞれ補正後発明にいう「番組案内」「ビデオプログラム信号を記録するためのユーザ入力選択コマンド」「補助的情報から得られる番組案内データ」に相当する。
　従って、引用例１発明の、テレテキスト制御部６が、ビデオプログラム信号を記録するために入力されたＧコードに応じてテレテキストデータに含まれる番組タイトルデータから自動的に番組タイトルを得る構成は、補正後発明にいう「前記オンスクリーンディスプレイ信号を供給する手段は、ユーザ入力選択コマンドに応じて補助的情報から得られる番組案内データから自動的に前記オンスクリーンディスプレイ信号の情報を引き出す」構成に相当する。
　ただし、引用例１には、「番組案内から」「単一の」コマンドに応じてオンスクリーンディスプレイ信号の情報を引き出す旨の記載はない。相違が認められる。
  　
（４）一致点・相違点
　補正後発明と引用例１発明との一致点及び相違点は、下記のとおりである。
　　　記（一致点）
「ビデオプログラム信号に対応する番組情報を表わすオンスクリーンディスプレイ信号を供給する手段と、
　前記オンスクリーンディスプレイ信号と前記ビデオプログラム信号の両方を記録媒体上に記録する手段とを具備した装置であって、
　前記オンスクリーンディスプレイ信号は前記ビデオプログラム信号に対する見出しを形成するために上記記録媒体上に記録され、
　前記オンスクリーンディスプレイ信号を供給する手段は、ビデオプログラム信号を記録するためのユーザ入力選択コマンドに応じて補助的情報から得られる番組案内データから自動的に前記オンスクリーンディスプレイ信号の情報を引き出すように構成されていることを特徴とする装置」
　　　記（相違点）
相違点ａ
　オンスクリーンディスプレイ信号が、補正後発明では、「前記記録媒体上に前記ビデオプログラム信号を記録するのに先立って」記録されるのに対し、引用例１発明では、ビデオプログラム信号の録画の最初の部分にスーパーインポーズの形で記録される点
　
相違点ｂ
　補正後発明では、「番組案内から」「単一の」コマンドに応じてオンスクリーンディスプレイ信号の情報を引き出すのに対し、引用例１発明では、入力されたＧコードに応じて番組タイトルを抽出する点
　
（５）相違点についての検討
（５−１）相違点ａ
　引用例１発明において、「番組タイトル名（放送チャンネル、放送局名、録画実行時間等）」がスーパーインポーズの形で挿入された録画の最初の部分が見出しとして機能することは前記（３−３）のとおりである。
　一方、ビデオテープレコーダの技術分野において、見出しとして機能する信号をビデオプログラム信号を記録するのに先立ってビデオテープ上に記録する構成は、本願出願前において周知（上記（２−３）周知技術）の技術である。
　そうすると、ビデオプログラム信号を記録するのに先立って「番組タイトル名（放送チャンネル、放送局名、録画実行時間等）」をビデオテープ上に記録する構成とすることは、引用例１発明の「スーパーインポーズの形で記録」する構成に代えて上記周知技術を採用することにより、当業者が容易になし得たことと認められる。
　
（５−２）相違点ｂ
　引用例３には、映像信号の垂直帰線消去期間に重畳されている文字放送のテレビ番組表番組を検索、表示する番組表提示手段と、提示された番組表から一番組を選択する選択手段と、選択された一番組の録画予約を行う構成が記載されている。（記載３ア、３イ、３ウ）
　ここで、引用例１発明でも、テレテキストデータに含まれる番組表ページから放送チャンネル、放送日、放送開始時間及び終了時間、番組タイトル等を得ており（記載１ア、１エ、１カ）、「番組案内」を利用する技術思想が存在すると言うべきである。
　さらに、引用例１には、「番組案内」を用いて録画予約する方法のステップの１つとして、ディスプレイ上に表示された番組表を見ながら所望の放送番組をカーソルで指定するステップが例示されている。（記載１イ）
　そうすると、録画予約する番組の選択方法として、Ｇコードの入力に換えてテレビ番組表番組上での選択を採用することは、引用例１発明に引用例３の上記構成を適用することにより、当業者が容易になし得たことと認められる。　　
　また、入力されたＧコードに応じてテレテキストデータに含まれる番組表ページから番組タイトルを抽出する構成に換えて、「番組案内から」所望の放送番組をカーソルで指定する「単一の」コマンドに応じてオンスクリーンディスプレイ信号の情報を引き出す構成とすることは、録画予約する番組の選択方法として、Ｇコードの入力に換えてテレビ番組表番組上での選択を採用する際に、当業者が自然になし得るものである。
　
（５−３）効果
　上記相違点ａ、ｂを総合しても格別の作用をなすとは認められない。
　補正後発明が奏する効果は、引用例１、３の記載及び上記周知事項から当業者が当然に予測できる範囲内のものと認められる。
　
（６）まとめ（独立特許要件）
　以上のことから、補正後発明は、引用例１、３に記載された発明及び周知技術に基づいて、当業者が容易に発明をすることができたものであるから、特許法第２９条第２項の規定により特許出願の際独立して特許を受けることができないものである。
　
４．むすび（決定）
　従って、本件補正は、平成１８年改正前特許法第１７条の２第５項において準用する同法第１２６条第１項の規定に違反するものであるから、同法第１５９条第１項の規定において読み替えて準用する同法第５３条第１項の規定により却下すべきものである。
　
　
第３．本願発明について
　平成１８年２月１３日付けの手続補正書は上記のとおり却下された。
　本願の請求項１に係る発明は、平成１７年１月３１日付け手続補正書により補正された明細書の特許請求の範囲の請求項１に記載されたものであると認められるところ、その内容は下記のとおりのものである。
　　　記（本願発明）
「【請求項１】
　ビデオプログラム信号に対応する番組情報を表わすオンスクリーンディスプレイ信号を供給する手段と、
　前記オンスクリーンディスプレイ信号と前記ビデオプログラム信号の両方を記録媒体上に記録する手段とを具備した装置であって、
　前記オンスクリーンディスプレイ信号は前記ビデオ信号に関する見出しを作成するために上記記録媒体上に記録され、
　前記オンスクリーンディスプレイ信号を供給する手段は、前記ビデオプログラム信号を記録するためのコマンドに応じて番組案内から自動的に前記オンスクリーンディスプレイ信号の情報を抽出するように構成されていることを特徴とする装置。」
　
　
第４　査定の検討
１．引用例
　原査定の拒絶の理由に記載された引用例１、３とその記載事項は、前記「第２　３．」に記載したとおりである。
　
２．対比・判断
（１）対比
　本願発明と引用例１発明とを対比する。
　
（１−１）「ビデオプログラム信号に対応する番組情報を表わすオンスクリーンディスプレイ信号を供給する手段」
　引用例１発明におけるテレテキスト制御部６は、タイマー予約制御部１４からの情報に基づいて、実行される番組予約データを予約データメモリ２０から抜き取り、その番組予約データの内容に番組タイトル録画の予約がされているか否かを判断する。そして、番組タイトル録画の予約がされている場合は、画面メモリ１０に番組タイトルを録画するためのデータを書き込み、表示・録画信号切換回路５においてキャラクタジェネレータ７からの信号を選択する。（記載１ウ、１カ、１キ、１ク）
　キャラクタジェネレータ７は、録画される放送番組に関する番組タイトル名をテレビ画面にスーパーインポーズの形で挿入する（記載１エ、１ク）ところ、記載（１ケ）によれば、放送チャンネル、放送局名、録画実行時間等も一緒に録画してもよいとされている。
　ここで、ビデオ信号ｂ（記載１ク）は本願発明の「ビデオプログラム信号」に相当する。「番組タイトル名（放送チャンネル、放送局名、録画実行時間等）」は、本願発明にいう「ビデオプログラム信号に対応する番組情報を表わす」ものであり、ビデオ信号ｂにスーパーインポーズの形で挿入されテレビ画面２００に表示されることから「オンスクリーンディスプレイ信号」にも相当する。
　そうすると、引用例１発明の「予約データメモリ２０」、「テレテキスト制御部６」は、本願発明にいう「ビデオプログラム信号に対応する番組情報を表わすオンスクリーンディスプレイ信号を供給する手段」に相当する。
　
（１−２）「前記オンスクリーンディスプレイ信号と前記ビデオプログラム信号の両方を記録媒体上に記録する手段」
　引用例１発明における録画回路１９は、「番組タイトル名（放送チャンネル、放送局名、録画実行時間等）」の文字信号と放送チャネルのビデオ信号との合成信号をビデオテープに録画する。（記載１エ、１ク、１ケ、１コ）
　かかる「ビデオテープ」「録画回路１９」は、それぞれ本願発明にいう「記録媒体」「前記オンスクリーンディスプレイ信号と前記ビデオプログラム信号の両方を記録媒体上に記録する手段」に相当する。
　
（１−３）「前記オンスクリーンディスプレイ信号は前記ビデオ信号に関する見出しを作成するために上記記録媒体上に記録され」
（１−３−１）「見出し」
　本願発明にいう「見出しを作成するため」の記録について検討する。
　本願明細書中段落００１１には、
「本発明は、この補助的情報は、録画しようとする番組の「
テープ・リーダ（引き出し部
望みのテレビ番組に先立って
と記載されている。
　従って、本願発明における「見出しを作成するため」の記録とは、「オンスクリーンディスプレイ信号」を「ビデオ信号」に先立って記録する構成を指すと認められる。　　
（１−３−２）
　引用例１発明においては、「番組タイトル名（放送チャンネル、放送局名、録画実行時間等）」は録画の最初の部分にスーパーインポーズの形で挿入され（記載１エ、１ク、１ケ、１コ）、ビデオプログラム信号に対する「見出し」を形成するために機能し得ることは明らかである。
　ただし、オンスクリーンディスプレイ信号が記録される構成の具体が、本願発明では、「ビデオプログラム信号に先立って」記録される構成であるのに対し、引用例１発明では、ビデオプログラム信号の録画の最初の部分にスーパーインポーズの形で記録される構成である。相違が認められる。
　
（１−４）「前記オンスクリーンディスプレイ信号を供給する手段は、前記ビデオプログラム信号を記録するためのコマンドに応じて番組案内から自動的に前記オンスクリーンディスプレイ信号の情報を抽出するように構成されている」
　引用例１発明のテレテキスト制御部６は、入力されたＧコードに応じて垂直帰線期間に多重されたテレテキストデータに含まれる番組表ページから番組タイトルデータを得る。（記載１ア、１ウ、１エ、１オ、１カ）
　かかる「入力されたＧコード」「番組表ページ」は、それぞれ本願発明にいう「ビデオプログラム信号を記録するためのユーザ入力選択コマンド」「番組案内」に相当する。
　
（２）一致点・相違点
　本願発明と引用例１発明との一致点及び相違点は、下記のとおりである。
　　　記（一致点）
　ビデオプログラム信号に対応する番組情報を表わすオンスクリーンディスプレイ信号を供給する手段と、
　前記オンスクリーンディスプレイ信号と前記ビデオプログラム信号の両方を記録媒体上に記録する手段とを具備した装置であって、
　前記オンスクリーンディスプレイ信号は前記ビデオ信号に関する見出しを作成するために上記記録媒体上に記録され、
　前記オンスクリーンディスプレイ信号を供給する手段は、前記ビデオプログラム信号を記録するためのコマンドに応じて番組案内から自動的に前記オンスクリーンディスプレイ信号の情報を抽出するように構成されていることを特徴とする装置。
　　　記（相違点）
　オンスクリーンディスプレイ信号が記録される構成の具体が、本願発明では、「ビデオプログラム信号に先立って」記録される構成であるのに対し、引用例１発明では、ビデオプログラム信号の録画の最初の部分にスーパーインポーズの形で記録される構成である点
　
（３）相違点についての検討
　ビデオテープレコーダの技術分野において、見出しとして機能する信号をビデオプログラム信号を記録するのに先立ってビデオテープ上に記録する構成は、本願出願前において周知（第２　３．（２−３）周知技術））の技術である。
　そうすると、ビデオプログラム信号を記録するのに先立って「番組タイトル名（放送チャンネル、放送局名、録画実行時間等）」をビデオテープ上に記録する構成とすることは、引用例１発明の「スーパーインポーズの形で記録」する構成に代えて上記周知技術を採用することにより、当業者が容易になし得たことと認められる。
　
（４）効果
　本願発明が奏する効果は、引用例１の記載及び上記周知事項から当業者が当然に予測できる範囲内のものと認められる。
　
（５）判断
　以上のことから、本願発明は、引用例１に記載された発明及び周知技術に基づいて、当業者が容易に発明をすることができたものであるから、特許法第２９条第２項の規定により特許を受けることができない。
　
　
第５　むすび
　以上のとおり、本願の請求項１に係る発明は、引用例１に記載された発明及び周知技術に基づいて当業者が容易に発明をすることができたものであるから、特許法第２９条第２項の規定により特許を受けることができない。
　従って、本願は拒絶すべきものである。
　よって結論のとおり審決する。